(57)【要約】【課題】  受け皿の球抜き穴の位置を確認にすることなく、賞球箱を排出口の下に位置決め案内できるようにする。【解決手段】  パチンコ機１１は、払い出された賞球としてのパチンコ球を受け取る受け皿２１と、受け皿に形成されてパチンコ球を排出する球抜き穴２２と、球抜き穴から排出されるパチンコ球を受け取る賞球箱Ｄを球抜き穴２２の下に位置決め案内する案内片１５，１５を受け皿２１の下方に備えている。球抜き穴２２の位置が不明であっても、賞球箱Ｄは、案内片１５によって、球抜き穴２２の下に案内されて、受け皿２１からパチンコ球を確実に受け取ることができる。【選択図】      図２
2005245671.tif 000002
【特許請求の範囲】
【請求項１】
払い出された遊技球を受け取る受け皿と、
前記受け皿に形成されて前記遊技球を排出する排出口と、を備えた遊技機において、
前記排出口から排出される前記遊技球を受け取る賞球箱を前記排出口の下に位置決め案内をする案内手段を前記受け皿の下方に備えたことを特徴とする遊技機。
【請求項２】
前記案内手段が、前記賞球箱を受け止めて前記排出口の下に位置決め案内をする案内部材を有していることを特徴とする請求項１に記載の遊技機。
【請求項３】
前記案内部材が、１対備えられ、該１対の案内部材が前記賞球箱を両側から案内し、かつ前記賞球箱の両側に突出した取っ手を支持可能であることを特徴とする請求項２に記載の遊技機。
【発明の詳細な説明】
【技術分野】
【０００１】
本発明は、遊技球を受ける受け皿の排出口から排出される遊技球が賞球箱に確実に受け取れるようにした遊技機に関する。
【背景技術】
【０００２】
従来、遊技機、例えば，パチンコ機は、遊技盤に設けた入賞口に遊技球としてのパチンコ球が入賞しとき、賞球排出口から賞球（パチンコ球）を払い出して、パチンコ球を受け皿で蓄えるようになっている。受け皿に蓄えられたパチンコ球は、受け皿の底部に形成してある排出口としての球抜き穴から排出されて、球抜き穴の下にあらかじめ用意してある賞球箱（いわゆる、ドル箱）に受け止められていた（例えば、特許文献１，２参照）。
【０００３】
【特許文献１】特開２００２−２７３００６号公報
【特許文献２】特開２００３−１４４７１５号公報
【発明の開示】
【発明が解決しようとする課題】
【０００４】
ところで、従来のパチンコ器の受け皿の球抜き穴は、受け皿の底部に形成してあった。しかし、球抜き穴は、受け皿にパチンコ球が溜まっていると、パチンコ球に覆われて、位置を確認することが難しいことがあった。また、受け皿の構造上、上方から球抜き穴の位置を確認することができないこともあった。このため、遊技者は、球抜き穴の位置を推測して、その推測した位置に、あるいは受け皿の下から手探りで球抜き穴の位置を確認して、その確認した位置に賞球箱をあてがって賞球箱でパチンコ球を受け止めていた。
【０００５】
しかし、推測した位置に球抜き穴が無い場合、あるいは受け皿の外形を球抜き穴と誤認した場合、パチンコ球は、賞球箱に受け取られないで、床に散乱することがあった。
【０００６】
さらに、遊技者は、賞球箱を、球抜き穴から排出される遊技球を受け取れる位置にあてがったとしても、遊技球が賞球箱に均等に貯留されない位置にあてがうことがある。このような場合、遊技球が片寄って貯留されて、やはり、賞球箱から零れて、床に散乱することがあった。
【０００７】
本発明は、受け皿の排出口の位置を確認にすることなく、賞球箱を排出口の下に位置決め案内することのできる遊技機を提供することを目的としている。
【課題を解決するための手段】
【０００８】
請求項１に係る発明は、払い出された遊技球を受け取る受け皿（２１）と、前記受け皿（２１）に形成されて前記遊技球を排出する排出口（２２）と、を備えた遊技機において、前記排出口（２２）から排出される前記遊技球を受け取る賞球箱Ｄを前記排出口（２２）の下に位置決め案内をする案内手段（１５，１１５）を前記受け皿（２１）の下方に備えたことを特徴とする遊技機（１１）である。
【０００９】
請求項２に係る発明は、前記案内手段（１５，１１５）が、前記賞球箱を受け止めて前記排出口（２２）の下に位置決め案内をする案内部材（１５，１１５）を有していることを特徴とする請求項１に記載の遊技機（１１）である。
【００１０】
請求項３に係る発明は、前記案内部材（１１５）が１対備えられ、該１対の案内部材（１１５，１１５）が前記賞球箱Ｄを両側から案内し、かつ前記賞球箱Ｄの両側に突出した取っ手（Ｄｈ）を支持可能であることを特徴とする請求項２に記載の遊技機（１１）である。
【００１１】
なお、括弧内の符号は、便宜的に、図面と対照し易くするために付したものであって、本発明の構成をなんら限定するものではない。
【発明の効果】
【００１２】
請求項１に係る遊技機は、案内手段によって、賞球箱を排出口の下に案内するようになっているので、排出口の位置が不明であっても、排出口の位置を確認することなく、受け皿から賞球箱に遊技球を確実に移し替えることができる。
【００１３】
請求項２に係る遊技機は、案内部材で賞球箱を受け止めて排出口の下に案内するようになっているので、賞球箱を確実に排出口の下に案内させて、賞球箱に遊技球を確実に移し替えさせることができる。
【００１４】
請求項３に係る遊技機は、１対の案内部材で賞球箱を排出口の下に案内した後、賞球箱の取っ手を受け止めて賞球箱を支持するようになっているので、遊技者が、賞球箱を持っている必要が無く、受け皿から賞球箱に遊技球を容易に移し替えることができる。
【発明を実施するための最良の形態】
【００１５】
以下、本発明の実施形態の遊技機としてのパチンコ機を図に基づいて説明する。
【００１６】
図１は、本発明の実施形態における遊技機としてのパチンコ機の概略正面図である。図２は、図１のパチンコ機の底面図である。図３は、皿ユニットの外観斜視図である。図４は、他の実施形態のパチンコ機の図である。
【００１７】
遊技機としてのパチンコ機１１は、筐体１２と、筐体１２に開閉自在に装備された不図示の賞球口を複数有する遊技盤１３と、遊技盤１３の下方に設けられて賞球口に遊技球としてのパチンコ球が入賞したとき賞球（パチンコ球）が払い出される皿ユニット１４と、賞球箱Ｄを案内する案内手段である１対の案内部材としての案内板１５，１５等を備えている。
【００１８】
皿ユニット１４は、パチンコ球を受け取る受け皿２１と、受け皿２１に形成されたパチンコ球を排出する排出口としての球抜き穴２２と、後述する落下穴２８を開閉して受け皿２１に溜まっている余分なパチンコ球を払い出す余剰球抜きボタン２３と、受け皿２１内のすべてのパチンコ球を排出する全球抜きボタン３２と、パチンコ球をモータによって発射させる不図示の発射装置を操作するハンドル２４等を有している。
【００１９】
図３に示すように、受け皿２１は、賞球としてのパチンコ球が払い出される賞球払い出し口２７と、下皿２６にパチンコ球を落下させる落下穴２８と、球抜きボタン２３に連動して落下穴２８を開閉する開閉蓋２９と、パチンコ球を発射する不図示の発射装置にパチンコ球を供給する下り勾配の供給路３０と、遊技者がまとまった数のパチンコ球を受け入れやすくした球受け入れ部３１等を有している。
【００２０】
図２に示すように、皿ユニット１４の底部には、球抜き穴２２を形成してある。球抜き穴２２は、皿ユニット１４の周囲上方からは見えない位置に形成されている。すなわち、球抜き穴２２は、皿ユニット１４の下から覗き込まないと見えない位置に形成してある。また、球抜き穴２２は、開閉蓋を備えてない。このため、落下穴２９の開閉蓋２９を開くと、パチンコ球は落下穴２９から落下して、球抜き穴２２からすぐに排出されるようになっている。
【００２１】
皿ユニット１４内のパチンコ球の流れを説明する。
【００２２】
遊技開始前に遊技者によって球受け入れ部３１に供給されたパチンコ球は、下り勾配のスロープ３３と、供給路３０とを転がって、不図示の発射装置に入る。払い出し口２７から払い出された賞球としてのパチンコ球も、供給路３０を転がって、発射装置に入る。パチンコ球が受け皿２１から零れるくらい、受け皿２１に溜まったとき、余剰球抜きボタン２３を押す。開閉蓋２９が落下穴２８を開く。パチンコ球は、落下穴２８から後述する賞球箱Ｄ内に落下する。
【００２３】
落下穴２８を開いたとき、すべてのパチンコ球が球抜き穴２２から排出されることはない。すなわち、供給路３０に溜まってパチンコ球は、落下穴２８が供給路３０より高い位置に形成されているので、供給路３０に溜まったままで排出されることがなく、不図示の発射装置に供給される。
【００２４】
したがって、本実施形態のパチンコ機１１は、遊技を継続しながら、受け皿２１からパチンコ球が溢れ出ないようにパチンコ球を排出することができる。すべてのパチンコ球を排出するには、全球抜きボタン３２を押すと、供給路３０と、発射装置とからパチンコ球が、球抜き穴２２から排出される。
【００２５】
以上、説明したように、本実施形態のパチンコ機１１における受け皿２１の球抜き穴２２は、皿ユニット１４の構造上、皿ユニット１４の周囲上方から確認することができない位置に形成されている。
【００２６】
案内板１５は、皿ユニット１４の下方、筐体１２の下部前面に設けられたほぼ直角三角形に形成された板状の部材であり、三角形の斜辺に相当する案内縁１５ａで賞球箱Ｄを球抜き穴２２の下に案内するようになっている。すなわち、図２に示すように、遊技者が１対の案内板１５の間に賞球箱Ｄを入れると、賞球箱Ｄは、１対の案内板１５，１５の案内縁１５ａによって形成された、「ハ」の字状の部分に案内されて、おのずと球抜き穴２２の下に案内されるようになっている。
【００２７】
案内板１５，１５と皿ユニット１４との間には、賞球箱Ｄの取っ手Ｄｈを受け入れる隙間Ｇを形成してある。この隙間Ｇによって、賞球箱Ｄを球抜き穴２２の下に移動させるとき、取っ手Ｄｈが案内板１５に当たることなく、賞球箱Ｄを球抜き穴２２の下に入れやすくなっている。
【００２８】
なお、案内板１５は、賞球箱Ｄに傷を付けないようにするため、樹脂製の板であることが好ましい。また、案内板１５は、皿ユニット１４の下部に設けてもよい。案内板１５は、皿ユニット１４が樹脂成型品である場合が多いので、皿ユニット１４と一体に成型されていてもよい。さらに、案内板１５，１５は、必ずしも１対設ける必要が無い。片方だけでも良い。この場合には、その片方の案内板１５の案内縁１５ａに賞球箱Ｄを押し当てて移動させることによって、賞球箱Ｄは、おのずと、球抜き穴２２の下に案内される。
【００２９】
また、案内板は、図４に示す１対の案内部材としての案内板１１５，１１５のように、賞球箱Ｄを球抜き穴２２の下に案内した後、賞球箱Ｄの取っ手Ｄｈを受け止めて賞球箱Ｄを支持するようにしても良い。この場合、遊技者は、賞球箱Ｄを持っている必要が無いため、パチンコ球を受け皿２１から賞球箱Ｄに楽に移し替えることができる。なお、この場合の案内板１１５の案内縁は、符号１１５ａで示す部分である。
【００３０】
さらに、案内板１５，１１５は、位置調節可能になっていてもよい。すなわち、案内板１５，１１５は、賞球箱の大きさに合わせて、左右方向にスライドできるようになっていてもよい。また、図４に示す案内板１１５は、賞球箱を支持したままで、手前側に引き出せるようになっていてもよい。
【００３１】
以上説明したように、本実施形態のパチンコ機１１は、構造上、球抜き穴２２が周囲上方から見えない位置に形成されているが、案内板１５，１１５によって、賞球箱Ｄを球抜き穴２２の下に案内できるようになっている。このため、遊技者は、球抜き穴２２の位置が不明であっても、球抜き穴２２の位置を確認することなく、受け皿２１から賞球箱Ｄにパチンコ球を確実に移し替えることができる。
【００３２】
なお、球抜き穴が受け皿の周囲上方から見える位置に形成されていても，受け皿にパチンコ球が溜まって、球抜き穴がパチンコ球に覆われて、球抜き穴の位置を確認することができない受け皿であっても、同様にして、案内板によって、賞球箱Ｄを球抜き穴２２の下に案内することができる。
【図面の簡単な説明】
【００３３】
【図１】本発明の実施形態における遊技機としてのパチンコ機の概略正面図である。
【図２】図１のパチンコ機の底面図である。
【図３】皿ユニットの外観斜視図である。
【図４】他の実施形態のパチンコ機の図である。（ａ）はパチンコ機の概略正面下部部分の図である。（ｂ）は（ａ）の底面図である。
【符号の説明】
【００３４】
Ｄ      賞球箱
Ｄｈ    取っ手
１１      パチンコ機（遊技機）
１２      筐体
１３      遊技盤
１４      皿ユニット
１５      案内板（案内部材、案内手段）
１５ａ    案内縁
２１      受け皿
２２      球抜き穴（排出口）
２３      余剰球抜きボタン
２７      払い出し口
２８      落下穴
２９      開閉蓋
３０      供給路
３２      全球抜きボタン
１１５      案内板（案内部材、案内手段）
１１５ａ    案内縁
【図１】
2005245671.tif 000003
【図２】
2005245671.tif 000004
【図３】
2005245671.tif 000005
【図４】
2005245671.tif 000006